(57)【要約】【課題】  安価で繰り返し開閉性能に優れた封緘紙、及びそれを用いた繰り返し使用性に優れた蓋付き封筒類を提供すること。【解決手段】  基材の一方の面に少なくとも粘着層及び剥離紙を順次有する、蓋付き封筒類に使用する封緘紙。前記封筒蓋部に対する貼着部分又は封筒胴部に対する貼着部分の何れか一方の部分の粘着層と前記剥離紙との間には、前記粘着層側の面が剥離処理されていると共に反対側の面に粘着層を有する粘着シートが介在する。【選択図】  図１
2005297967.tif 000002
【特許請求の範囲】
【請求項１】
第１基材の一方の面に少なくとも第１粘着剤層及び剥離紙が順次積層された蓋付き封筒類に使用する封緘紙であって、前記封筒類の蓋部に対する貼着部分又は封筒類の胴部に対する貼着部分の何れか一方の部分の第１粘着剤層と前記剥離紙の間に、第２基材及び該第２基材の前記第１粘着剤層と接する面と反対側の面に設けられた第２粘着剤層からなる粘着シートが配されてなることを特徴とする封緘紙。
【請求項２】
前記第２基材における前記第１粘着剤層と接する面が剥離処理されていることを特徴とする請求項１に記載された封緘紙。
【請求項３】
前記第１基材における前記一方の面と反対側の面に保護シートを設けたことを特徴とする請求項１又は２に記載された封緘紙。
【請求項４】
前記第１粘着剤層のうち、前記封筒類の蓋部に対する貼着部分又は封筒類の胴部に対する貼着部分の何れか一方の部分と、前記粘着シートに対する貼着部分とが分離していることを特徴とする、請求項１ないし３のいずれかに記載された封緘紙。
【請求項５】
使用状態において封緘紙本体を前記粘着シートから剥がし易くする為のつまみ部が封緘紙端部に設けられてなる、請求項１ないし４のいずれかに記載された封緘紙。
【請求項６】
つまみ部が、第１粘着剤層を有しないか、第１粘着剤層の表面に非粘着処理層を更に設けてなる、請求項５に記載された封緘紙。
【請求項７】
前記粘着シートが、少なくともつまみ部の一部分まで延出している、請求項５又は６に記載された封緘紙。
【請求項８】
剥離紙を除去した請求項１乃至７に記載された封緘紙を、予め封筒の蓋部又は封筒の胴部に貼着してなることを特徴とする、繰り返し使用に好適な蓋付き封筒類。
【発明の詳細な説明】
【技術分野】
【０００１】
本発明は、封緘紙に関し、特に、繰り返し使用に好適な封緘紙、及び、それを貼着してなる繰り返し使用に好適な封筒類に関する。
【背景技術】
【０００２】
通常郵送する封筒類は一度使用したら破棄するか処分され、それを繰り返して使用することはない。書類等の保管を目的として使用する場合には、蓋を一時的に固定する為の固定金具がついているものや、紐で固定するものが使用される。しかしながら、これらの封筒は高価である上、使用し易さの点において難点がある。特に金具を使用したものは、金属の部分が厚くなりこの金具で他の封筒を傷つけるという欠点があった。
【０００３】
斯かる欠点を改善する方法として、袋類の開口一端面に封止シートの基部を剥離不能に固着し、開口他端面に、封止シートの中央部を剥離可能に貼着し、該剥離可能な封止シートの遊端部側に設けたつまみ部を引っ張る事により封止シートの中央部を剥離し、袋類の開口を再開放する、袋類の綴じ方法、及びそれに使用する綴じ具が開発された（例えば特許文献１参照）。しかしながら、この場合には、剥離不能に固着する部分の接着剤または粘着剤と、剥離可能に貼着する部分の接着剤又は粘着剤が異なる為、これらを同一基材上に塗り分けなければならず、製造工程が煩雑となる。また、繰り返し開閉に使用する粘着部分に封筒から少しずつ紙繊維が転移し、封筒の見栄えが悪化すると共に封止シート粘着部の粘着力も急速に悪化する為、繰り返し使用することの出来る回数も十分ではないという欠点があった。
【０００４】
【特許文献１】特開平６−１５５９９３号公報
【発明の開示】
【発明が解決しようとする課題】
【０００５】
そこで、本発明者等は上記の欠点を改善する為に鋭意検討した結果、粘着剤として一種類の粘着剤のみを使用し、必要に応じ、部分的に、該粘着剤と剥離可能に離形処理された面と、他面に粘着剤層を有する粘着シートを介在させることにより安価で繰り返し開閉性能に優れた封緘紙とすることが出来ることを見出し、本発明に到達した。また、本発明者等は、粘着剤として一種類の粘着剤のみを使用し、剥離処理しない面と、他面に粘着剤層とを有する粘着シートを介在させることによっても安価で繰り返し開閉性能に優れた封緘紙とすることが出来ることを見出し、本発明に到達した。
従って本発明の第１の目的は、安価で繰り返し開閉性能に優れた封緘紙を提供することにある。
本発明の第２の目的は、安価で繰り返し使用性に優れた蓋付き封筒類を提供することにある。
【課題を解決するための手段】
【０００６】
本発明の上記の諸目的は、第１基材の一方の面に少なくとも第１粘着剤層及び剥離紙が順次積層された蓋付き封筒類に使用する封緘紙であって、前記封筒類の蓋部に対する貼着部分又は封筒類の胴部に対する貼着部分の何れか一方の部分の第１粘着剤層と前記剥離紙の間に、第２基材及び該第２基材の前記第１粘着剤層と接する面と反対側の面に設けられた第２粘着剤層からなる粘着シートが配されてなることを特徴とする封緘紙によって達成された。
【０００７】
前記第２基材における前記第１粘着剤層と接する面が剥離処理されていることが好ましい。また、前記第１基材における前記一方の面と反対側の面に保護シートを設けることが好ましい。又、前記第１粘着剤層のうち、前記封筒類の蓋部に対する貼着部分又は封筒類の胴部に対する貼着部分の何れか一方の部分と、前記粘着シートに対する貼着部分とが分離していることが好ましい。特に封緘紙端部につまみ部を設けることが、封筒の蓋の開閉が容易になるので好ましい。また、つまみ部が、第１粘着剤層を有しないか、第１粘着剤層を有する場合にはその表面に非粘着処理層を更に設けることにより粘着性を無くすことが、取り扱いが容易となるので好ましい。また、粘着シートがつまみ部の一部分に延出するようにした場合には、第１粘着剤層の粘着剤がはみ出て封筒に直接粘着することを防ぐことが出来る。更に、剥離紙を除去した封緘紙を、予め封筒の蓋部及び封筒の胴部に貼着することにより、安価で繰り返し使用性能に優れた蓋付封筒類を提供することが出来る。
【発明の効果】
【０００８】
本発明の封緘紙は、強粘着部分と弱粘着部分の粘着剤を塗り分ける必要がないので製造が容易であり、製造コストが抑制される。また、この封緘紙を使用することにより、封筒類が有効に多数回使用されるので省資源にも寄与する。
【発明を実施するための最良の形態】
【０００９】
まず、剥離処理された基材を有する本発明の第１の態様について説明する。
本発明の封緘紙に使用する基材としては、上質紙やコート紙等の紙、ポリエチレン樹脂、ポリプロピレン樹脂、ポリエステル樹脂、アセテート樹脂等からなる合成紙やフィルムが挙げられる。
第１及び第２基材の厚さは特に制限されるものではないが、５０〜１２０μｍであることが好ましい。
【００１０】
本発明の封緘紙に使用する粘着剤は、公知のものの中から適宜選択することができる。上記公知の粘着剤としては、例えば、アクリル系粘着剤、ゴム系粘着剤、ウレタン系粘着剤等が挙げられる。
粘着剤層の厚さは特に制限されるものではないが、１０〜８０μｍであることが好ましく、特に２０〜５０μｍであることが好ましい。
剥離紙としては公知のものを使用することができる。例えば、グラシン紙、トレーシング紙、コート紙、含浸紙、ポリエチレンラミネート紙等の紙や、ポリエチレン樹脂やポリプロピレン樹脂、ポリエステル樹脂のフィルム、及びこれらの紙やフィルムの表面に、シリコーン樹脂、長鎖アルキル樹脂、アルキッド樹脂、フッ素樹脂等の剥離剤で剥離処理したものが挙げられる。剥離紙の厚さは特に制限されるものではないが、１０〜１００μｍであることが好ましい。
【００１１】
本発明においては、上記の粘着剤を第１基材の片面の全面に塗布するが、後記するような、剥離のきっかけ部とする端縁部の少なくとも一部については、粘着剤を塗布しなくても良い。本発明の封緘紙は、封筒等の蓋又は胴部の何れか一方には再剥離不能に貼着する。しかしながら、他方の封筒等の蓋又は胴部に貼着する部分には、繰り返し使用する為に封緘紙の粘着層と再剥離が可能な粘着シートを有することが必要となる。
【００１２】
上記粘着シートは、第２基材の一方の面を、前記粘着剤と剥離可能に貼着し得る如く剥離処理されると共に、他方の面に前記粘着剤と同一又は類似した、封筒類の蓋又は胴部と強く接着する粘着剤からなる粘着層を有するシートである。この粘着シートの第２基材は前記封緘紙の基材や剥離紙の基材と同様のものの中から適宜選択して使用することが出来る。また、剥離処理は、剥離紙の場合と同様に行えば良く、基材としては、前記封緘紙用基材と同様のものを使用すれば良い。
【００１３】
また、粘着シートと貼着した部分の封緘紙本体を再剥離し易くする為に、つまみ部を設けることが好ましい。
【００１４】
本発明においては、実際の使用時まで粘着部を保護する為に、粘着部分全面に剥離紙を設ける。この剥離紙は封緘紙本体の剥き出しになった粘着部分と粘着シートの粘着部分の両方にわたって１枚設けられても良いが、封緘紙本体部分と粘着シート部分の各貼着部分にそれぞれ分割された剥離紙を設けることが、使用し易くなるので好ましい。
本発明の封緘紙は、粘着シートの剥離処理された表面部分と封緘紙本体の粘着部分を剥がしたり貼着したりして封筒等を多数回繰り返し使用するものである。このように、封緘紙の粘着部分と粘着シートの表面が剥離処理された紙又はフィルムとが貼合され、剥離紙と封緘紙本体及び粘着シートの粘着剤とが貼合される。
以下、本発明の第１の態様の構成を図面に基づいて更に詳述する。
【００１５】
図１は、本発明の封緘紙１０の断面説明図である。図中の符号１は封緘紙の第１基材、２は第１粘着剤層、３は粘着シート、４は剥離紙である。粘着シート３は剥離処理層５を有する第２基材６及び第２粘着剤層７からなる。また、８はつまみ部である。図２は本発明の封緘紙の使用状態を示す図であり、封筒２０の蓋部２１と胴部２２に図１の封緘紙を貼着した例、図３はその側面説明図である。
【００１６】
図において、第１基材１の一方の面に第１粘着剤層２、及び該第１粘着剤層２の表面の１部に粘着シート３が設けられている。粘着シートの第２基材６の前記第１粘着剤層側の面には剥離層５が設けられており、反対面には第２粘着剤層７が設けられている。第１粘着剤層２及び第２粘着剤層７の表面には剥離紙４が貼着されている。更に、第１基材１の端面が延出し、つまみ部８を形成している。つまみ部８の裏面は、粘着剤層を設けないか、粘着剤層の表面に印刷等でインキにより非粘着処理層９を形成し、粘着性を有しないようにすることが好ましい。尚、図１に示すように、つまみ部８において、第１の粘着剤層２の端面２ａを、粘着シート３の端面３ａより内側に設けることが、封緘紙１０の開閉がスムーズになるので好ましい。
【００１７】
本発明の封緘紙１０は、図２及び図３に示すように、封筒２２の蓋１に貼着される。即ち、封緘紙１０の剥離紙４を剥離し、露出した第１粘着剤層２の部分が封筒２０の蓋部２１の部分に、粘着シート３の第２粘着剤層７が封筒２０の胴部２２に、それぞれ貼着する。尚、第１粘着剤層２が封筒２０の胴部２２に、粘着シート３の第２粘着剤層７を封筒２０の蓋部２１の部分にそれぞれ貼着しても良い。
【００１８】
図４に本発明の第１の態様の封緘紙の、第２の実施形態を示す。ここでは、第１の実施形態の封緘紙と共通する部分が多く、それらの説明は省略する。第２の実施形態の封緘紙では、封筒の蓋と胴部の境界部分及びつまみ部８が、第１粘着剤層２の該当する表面を印刷インキ等で被覆し非粘着処理層９を形成することにより非粘着とされている。第１粘着剤層２の非粘着部分は、薄い紙やプラスチックフィルムを非粘着とする第１粘着剤層の該当部分に貼着しても良い。また、上記印刷についての制限は特にあるわけではないが、紫外線硬化インキを用いて印刷することが好ましい。紫外線硬化インキとしては、公知の物の中から適宜選択することが出来、印刷後、紫外線を照射して当該インキを硬化させる。
【００１９】
非粘着とする境界部分は、図４で示すように、封筒の胴部と蓋部にまたがる第１粘着剤層２の一部分である。非粘着性境界部分９’を設けることにより、第１粘着剤層が封筒２０の蓋２１と胴部２２に跨って貼着されることを防ぐことが出来る。
【００２０】
なお、上記した本発明の第１の態様においては、粘着シートの第２基材の一方の面を剥離処理したが、剥離処理しないものも本発明に含まれる。この場合、粘着シートと前記粘着剤との剥離が容易になるよう、該粘着剤の粘着力を適宜調整すればよい。
【００２１】
次に、保護シートを有する本発明の第２の態様について説明する。なお、以下の説明において、本発明の第１の態様と同一部分については説明を省略する。
本発明の封緘紙に使用する基材（第１基材）としては、上記した合成紙やフィルムが挙げられるが、特に、合成紙の上層に、後述する保護シートとして、ラミネート層（例えばポリエチレンテレフタレートフィルム）を積層した基材が好ましい。
本発明の第２の態様においては、第１基材における粘着剤を塗布する面と反対側の面に保護シートが積層されている。このようにすると、繰り返し開閉によって印刷層の合成紙が折れ曲がることがなく、基材に剛性を付与できる。
【００２２】
本発明の第２の態様の封緘紙に使用できる粘着剤、剥離紙は本発明の第１の態様の場合と同様である。
【００２３】
本発明の第２の態様においても、上記の粘着剤を第１基材の片面の全面に塗布するが、剥離のきっかけ部とする端縁部の少なくとも一部については、粘着剤を塗布しなくても良い。本発明の封緘紙は、封筒等の蓋又は胴部の何れか一方には再剥離不能に貼着する。しかしながら、他方の封筒等の蓋又は胴部に貼着する部分には、繰り返し使用する為に封緘紙の粘着層と再剥離が可能な粘着シートを有することが必要となる。
【００２４】
上記粘着シートは、第２基材の一方の面を剥離処理しなくとも、前記粘着剤と剥離可能に貼着し得る。また、この粘着シートの他方の面に前記粘着剤と同一又は類似した、封筒類の蓋又は胴部と強く接着する粘着剤からなる粘着層を有する。この粘着シートの基材（第２基材）は前記封緘紙の基材や剥離紙の基材と同様のものの中から適宜選択して使用することが出来るが、例えばＰＥＴ（ポリエチレンテレフタレート）フィルムを好適に使用できる。
【００２５】
また、粘着シートと貼着した部分の封緘紙本体を再剥離し易くする為に、つまみ部を設けることが好ましい。
【００２６】
本発明の第２の態様においても、実際の使用時まで粘着部を保護する為に、粘着部分全面に剥離紙を設ける。この剥離紙は封緘紙本体の剥き出しになった粘着部分と粘着シートの粘着部分の両方にわたって１枚設けられても良いが、封緘紙本体部分と粘着シート部分の各貼着部分にそれぞれ分割された剥離紙を設けることが、使用し易くなるので好ましい。
本発明の封緘紙は、粘着シートの剥離処理された表面部分と封緘紙本体の粘着部分を剥がしたり貼着したりして封筒等を多数回繰り返し使用するものである。このように、封緘紙の粘着部分と、粘着シートの表面が剥離処理しない紙又はフィルムとが貼合され、剥離紙と封緘紙本体及び粘着シートの粘着剤とが貼合される。
以下、本発明の第２の態様の構成を図面に基づいて更に詳述する。
【００２７】
図５は、本発明の第２の態様の封緘紙１０Ｂの断面説明図である。図中の符号１Ｂは封緘紙の第１基材、１Ｃは保護シート、２Ｂ、２Ｃは第１粘着剤層、３Ｂは粘着シート、４Ｂは剥離紙である。保護シート１Ｃは、粘着剤層又は接着剤層を介して第１基材１Ｂに積層してもよい。粘着シート３Ｂは剥離処理層を有しない第２基材６Ｂ及び第２粘着剤層７Ｂからなる。また、８Ｂはつまみ部である。本発明の第２の態様においては、第１粘着剤層は２つの部分２Ｂ、２Ｃからなり、これらは領域Ｒで互いに分離している（つまり、領域Ｒで第１粘着剤層が塗布されない）のが好ましい。このようにすると、封緘紙の蓋からの剥離がし易くなる。
【００２８】
なお、この封緘紙の使用状態、及び封筒への封緘紙の貼着例は、上記した本発明の第１の態様の封緘紙の場合と同様である。従ってこの実施形態では、第１粘着剤層２Ｃが封筒類の蓋部に対する貼着部分となり、第１粘着剤層２Ｂが粘着シートに対する貼着部分となる。また、つまみ部８Ｂにおいて、第１の粘着剤層２Ｂの端面２ｘを、粘着シート３Ｂの端面３ｘより内側に設けることが好ましいのは、本発明の第１の態様の場合と同様である。
【００２９】
本発明の第２の態様の封緘紙は、第２基材の剥離処理が不要であるため、第１の態様の封緘紙に比べて製造工程を簡略できて有利である。また、第１の態様の封緘紙の場合、封筒の繰り返し開閉により、剥離処理面が傷んでくる場合があるが、第２の態様の封緘紙の場合は剥離処理面が無く、繰り返し開閉に対する耐久性に優れている。
【００３０】
以下、本発明を実施例に基づいて更に詳述するが、本発明はこれによって限定されるものではない。
【実施例１】
【００３１】
巾１００ｍｍで帯状の、厚さ７０μｍの剥離紙４（グラシン紙をシリコーン離型剤で処理したもの、リンテック社製：商品名８Ｋ）に、アクリル系粘着剤（リンテック社製：商品名ＰＡ−Ｔ１）を巾方向の両端からそれぞれ１０ｍｍが非塗布部分となるように塗布・乾燥し、厚さ２０μｍの第１粘着剤層２を形成した。次いで、上記第１粘着剤層２の表面に、基材１として巾１００ｍｍで帯状の、厚さ８０μｍの合成紙（ユポコーポレーション社製、商品名ユポ８０）を貼り合せた。
【００３２】
次に、これを巾５０ｍｍにスリットし、剥離紙４を剥がし、別に用意した巾２０ｍｍの粘着シート３（厚さ２５μｍのポリエチレンテレフタレートフィルム６の一方の面に剥離処理層５（東華色素化学工業社製：商品名ＵＶ１１６ＯＰニス）を、他方の面に第２粘着剤層７（リンテック社製：商品名ＰＬシン、厚さ２０μｍ）を設けた粘着シート）を、その剥離剤層５の表面と、第１粘着剤層２の粘着剤未塗布部分端部より２ｍｍ延出するように第１粘着剤層２に貼着した。次いで、第１粘着剤層２及び第２粘着剤層７の表面に再び剥離紙４を貼り合せた後、これを流れ方向に４０ｍｍとなるように切断して４０ｍｍ×５０ｍｍの本発明の封緘紙１０を作製した。
【実施例２】
【００３３】
実施例１で作製した封緘紙１０の剥離紙４を剥がし、第１の粘着剤層２が封筒２０の蓋部２１に、粘着シート３の第２粘着剤層７が封筒２０の胴部２２に貼着するように封緘紙を封筒に貼着し、本発明の封緘紙付き封筒を作製した。封緘紙を蓋から剥離した後再び蓋に貼着することを繰り返したところ、３０回以上蓋を開閉することができた。
【実施例３】
【００３４】
実施例１で作製した封緘紙１０の剥離紙４を剥離し、第１粘着剤層２が封筒２０の胴部２２に、第２粘着剤層７が封筒２０の蓋部２１の部分に貼着するように封緘紙を封筒に貼着し、本発明の封緘紙付き封筒を作製した。
封緘紙を蓋から剥離した後再び蓋に貼着することを繰り返したところ、３０回以上蓋を開閉することができた。
【実施例４】
【００３５】
巾１００ｍｍで帯状の、厚さ７０μｍの剥離紙４（グラシン紙をシリコーン離型剤で剥離処理したもの、リンテック社製：商品名８Ｋ）にアクリル系粘着剤（リンテック社製：商品名ＭＦ）を塗布・乾燥し、厚さ２０μｍの第１粘着剤層２を形成した。次いで上記第１粘着剤層２の表面に、基材１として厚さ８０μｍの合成紙（ユポコーポレーション社製：商品名ユポ８０）を貼り合わせた。
【００３６】
次に、これを巾５０ｍｍにスリットし、剥離紙４を剥がし、オフセット印刷機にて、ＵＶインク（東華色素化学工業社製：商品名ＵＶ１１６）９を用いて第１粘着剤層２の所定部分に印刷を行い、紫外線を照射してＵＶインクを硬化させ、非粘着性境界部分９’及びつまみ部８の非粘着処理層９を形成した。具体的には、つまみ部８の非粘着処理層９として巾方向の一端部から１０ｍｍの間をＵＶインクでベタ印刷し、更に非粘着境界部分９’として一端部から２５ｍｍと３０ｍｍの間をそれぞれベタ印刷した。
【００３７】
次につまみ部８側の蓋部２の端部から３８ｍｍの位置に、実施例１で用いた巾２０ｍｍの粘着シート３を貼着し、再び剥離紙４を第１粘着剤層２及び第２粘着剤層７の表面に貼着した後、これを長さ方向に４０ｍｍとなるように切断して、４０ｍｍ×５０ｍｍの本発明の封緘紙１０を作製した。
【実施例５】
【００３８】
実施例４で得られた封緘紙１０の剥離紙４を剥がし、第１粘着剤層２が封筒２０の蓋部２１に、第２粘着剤層７が封筒２０の胴部２２に貼着するように封緘紙を封筒に貼着し、本発明の封緘紙付き封筒を作製した。
得られた封筒は、封緘紙のつまみ部８を持って蓋を３０回以上開閉することが出来た。
【実施例６】
【００３９】
巾１００ｍｍ、厚さ７０μｍの帯状の剥離紙４Ｂ（リンテック社製：商品名８Ｋ）に、アクリル系粘着剤（リンテック社製：商品名ＭＥ）を巾方向の両端からそれぞれ１０ｍｍの部分、及び両端から２５〜３０ｍｍの部分（図５の領域Ｒ）が非塗布部分となるように塗布・乾燥し、厚さ２０μｍの第１粘着剤層２Ｂ、２Ｃを形成した。次いで、上記第１粘着剤層２Ｂの表面に、第１基材として巾１００ｍｍで帯状の、厚さ８０μｍの合成紙（ユポコーポレーション社製、商品名ユポ８０）１Ｂを貼り合せた。さらに、粘着剤層（リンテック社製：商品名ＰＬシン、厚さ２０μｍ）を一方の面に設けた保護フィルム１Ｃ（厚さ２５μｍのポリエチレンテレフタレートフィルム）を用意し、前記合成紙１Ｂ上に該粘着剤層を介して保護フィルム１Ｃを積層して保護フィルム１Ｃと第１基材１Ｂとの積層体を得た。
【００４０】
次に、前記積層体を巾５０ｍｍにスリットし、剥離紙４Ｂを剥がし、別に用意した巾２０ｍｍの粘着シート３Ｂ（第２基材としての厚さ２５μｍのポリエチレンテレフタレートフィルム６Ｂの裏面に第２粘着剤層７Ｂ（リンテック社製：商品名ＰＬシン、厚さ２０μｍ）を設けた粘着シート）を、粘着シート３Ｂである第２基材の端面が第１粘着剤層２Ｂの端面２ｘより２ｍｍ延出するように第１粘着剤層２Ｂに貼着した。次いで、第１粘着剤層２Ｃ及び第２粘着剤層７Ｂの表面に再び剥離紙４Ｂを貼り合せた後、これを流れ方向に４０ｍｍとなるように切断して４０ｍｍ×５０ｍｍの本発明の封緘紙１０Ｂを作製した。
【実施例７】
【００４１】
実施例６で作製した封緘紙１０Ｂの剥離紙４を剥がし、第１の粘着剤層２Ｃが封筒２０の蓋部２１に、粘着シート３Ｂの第２粘着剤層７Ｂが封筒２０の胴部２２に貼着するように封緘紙を封筒に貼着し、本発明の封緘紙付き封筒を作製した。封緘紙を蓋から剥離した後再び蓋に貼着することを繰り返したところ、３０回以上蓋を開閉することができた。
【図面の簡単な説明】
【００４２】
【図１】つまみ部を有する本発明の第１の態様の封緘紙を示す断面説明図である。
【図２】本発明の封緘紙の使用状態を示す平面図である。
【図３】本発明の封緘紙を使用した封筒の側面説明図である。
【図４】第１粘着剤層に印刷インクを用いて非粘着部を設けた、他の実施例の断面図である。
【図５】つまみ部を有する本発明の第２の態様の封緘紙を示す断面説明図である。
【符号の説明】
【００４３】
１、１Ｂ、１Ｃ            封緘紙の基材（第１基材）
１Ｄ                      保護シート
２、２Ｂ、２Ｃ            第１粘着剤層
３、３Ｂ                  粘着シート
４、４Ｂ                  剥離紙
５                        剥離処理層
６、６Ｂ                  第２基材
７、７Ｂ                  第２粘着剤層
８，８Ｂ                  つまみ部
９．                      非粘着処理層
９'.                      非粘着性境界部分
１０、１０Ｂ              封緘紙
２０．                    封筒
２１．                    蓋部
２２．                    胴部
【図１】
2005297967.tif 000003
【図２】
2005297967.tif 000004
【図３】
2005297967.tif 000005
【図４】
2005297967.tif 000006
【図５】
2005297967.tif 000007